(57)【要約】【課題】ラックに収納した商品類の高さや幅がさまざまである場合であっても、大規模な地震の震動等によって商品が飛び出すという問題を解消することができ、商品の散逸を防止することが可能なラック等における商品の落下防止機構を提供することを目的とする。【解決手段】商品の陳列・保管等の用途で使用するラックの各段の棚板の前面に、それぞれ適宜間隔で複数のスライド用駒を着脱可能に取り付けるとともに、前記スライド用駒の前面には係合ピンを突設し、前記スライド用駒の前面に取り付けた各段の係合ピンの間に、所定の長さのゴム紐を掛け回して取り付け、ラックに収納した商品が地震等の震動によってラックの外に落下しないようにしたことを特徴とするラック等における商品の落下防止機構。【選択図】図５
0003169909.tif 000002
【実用新案登録請求の範囲】
【請求項１】
商品の陳列・保管等の用途で使用するラックの各段の棚板の前面に、それぞれ適宜間隔で複数のスライド用駒を着脱可能に取り付けるとともに、前記スライド用駒の前面には係合ピンを突設し、前記スライド用駒の前面に取り付けた各段の係合ピンの間に、所定の長さのゴム紐を掛け回して取り付け、ラックに収納した商品が地震等の震動によってラックの外に落下しないようにしたことを特徴とするラック等における商品の落下防止機構。
【請求項２】
前記スライド用駒は、ほぼＵ字状の所定間隔で前後一対の側壁を設けたほぼＵ字状の駒本体と、後部側壁の外側に取り付けられ。駒本体の内側に向けて先端を進退自在とした後部ネジと、前部側壁の外側に取り付けられ、駒本体の内側に向けて先端を進退自在とした前部ネジとを備え、かつ前部側壁には係合ピンが突設されていることを特徴とする請求項１記載のラック等における商品の落下防止機構。
【請求項３】
前記スライド用駒は、前記前部ネジの頭部が係合ピンを兼用していることを特徴とする請求項２記載のラック等における商品の落下防止機構。
【請求項４】
前記ゴム紐は、伸縮自在のゴム素材の外側を、ゴム素材の伸縮に応じて伸縮可能な布等からなるカバーで保護した構造となっていることを特徴とする請求項１記載のラック等における商品の落下防止機構。
【請求項５】
前記各段の棚板は、少なくともその上面前部に滑り止めシートが貼付されていることを特徴とする請求項１記載のラック等における商品の落下防止機構。
【考案の詳細な説明】
【技術分野】
【０００１】
この考案は、倉庫や展示場、事業所等においてラック等を用いて陳列したり保管したりしている各種の商品が、地震の揺れによってラック等から飛び出したり、落下したりするのを防止するラック等の商品の落下防止機構に関するものである。
【背景技術】
【０００２】
従来、このようなラック等の商品の落下防止機構としては下記のような例が知られている。
１）特開２００６−２１２２６３号公報（特許文献１参照）
収納棚本体の両側部内壁面における前部と後部側に間隔をおいて縦列されただぼ孔の一部に、これに嵌合され、かつ前記だぼ孔７からの突出端がフック状をなす係止金具を複数個対向して設け、両係止金具間にラバーバンドの両端を引掛け係止し、これにより収納物品の落下を防止する。
【０００３】
２）特開２００８−３０１９８０号公報（特許文献２参照）
ほぼ水平な棚板と、該棚板の最奥部に立設された背板と、前記棚板の手前端側に敷かれて収容物が載置される滑止シートとを有し、前記収容物の最奥端と前記背板との間に隙間が設けられ、前記滑止シートと前記収容物との重なり部分の奥行き寸法Ｗが、前記収容物の奥行き寸法Ｌの１／２を越えることを特徴としている。
そして、収容物は滑止シート上に載っているので、棚板の手前側にも奥側にも移動せず、隙間があるので背板にも接触しないので、飛び出したり、落下することがない。
【先行技術文献】
【特許文献】
【０００４】
【特許文献１】特開２００６−２１２２６３号公報
【特許文献２】特開２００８−３０１９８０号公報
【考案の概要】
【考案が解決しようとする課題】
【０００５】
しかしながら実際には、ラックに収納した商品類は高さや幅の違うことが多く、ラック間に直線的に張り渡したラバーバンドでは商品が飛び出してしまうことが判明した。もちろん、滑止シートを使用しただけでは、商品が飛び出しを予防するには不十分であった。
この考案は、ラックに収納した商品類の高さや幅がさまざまである場合であっても、大規模な地震の震動等によって商品が飛び出すという問題を解消することができ、商品の散逸を防止することが可能なラック等における商品の落下防止機構を提供することを目的とする。
【課題を解決するための手段】
【０００６】
この考案は、前記目的を達成するために以下の如く構成したものである。
請求項１に係る考案は、商品の陳列・保管等の用途で使用するラックの各段の棚板の前面に、それぞれ適宜間隔で複数のスライド用駒を着脱可能に取り付けるとともに、前記スライド用駒の前面には係合ピンを突設し、前記スライド用駒の前面に取り付けた各段の係合ピンの間に、所定の長さのゴム紐を掛け回して取り付け、ラックに収納した商品が地震等の震動によってラックの外に落下しないようにしたことを特徴とするラック等における商品の落下防止機構である。
請求項２に係る考案は、前記スライド用駒が、ほぼＵ字状の所定間隔で前後一対の側壁を設けたほぼＵ字状の駒本体と、後部側壁の外側に取り付けられ。駒本体の内側に向けて先端を進退自在とした後部ネジと、前部側壁の外側に取り付けられ、駒本体の内側に向けて先端を進退自在とした前部ネジとを備え、かつ前部側壁には係合ピンが突設されていることをも特徴とするラック等における商品の落下防止機構である。
請求項３に係る考案は、前記スライド用駒が、前記前部ネジの頭部が係合ピンを兼用していることをも特徴とするラック等における商品の落下防止機構である。
請求項４に係る考案は、前記ゴム紐が、伸縮自在のゴム素材の外側を、ゴム素材の伸縮に応じて伸縮可能な布等からなるカバーで保護した構造となっていることをも特徴とするラック等における商品の落下防止機構である。
請求項５に係る考案は、前記各段の棚板が、少なくともその上面前部に滑り止めシートが貼付されていることをも特徴とするラック等における商品の落下防止機構である。
【考案の効果】
【０００７】
請求項１に係るラック等の商品の落下防止機構は、前面に係合ピンを突設したスライド用駒を、ラックの各段の棚板の前面にそれぞれ適宜間隔で取り付けるとともに、前記スライド用駒前面の係合ピンにゴム紐を掛け回すだけの作業で、ラックに収納した商品が地震等の震動によってラックの外に落下しないようにする商品の落下防止を確実に行うことができる。
すなわち、ラックに収納したサイズの異なる種々の商品に、各係合ピンに斜めや縦横に掛け回したゴム紐が係合するので、商品の落下防止の機能が極めて高くなる。
請求項２に係るラック等の商品の落下防止機構は、前記スライド用駒として、ほぼＵ字状の所定間隔で前後一対の側壁を設けたほぼＵ字状の駒本体と、後部側壁の外側に取り付けられ。駒本体の内側に向けて先端を進退自在とした後部ネジと、前部側壁の外側に取り付けられ、駒本体の内側に向けて先端を進退自在とした前部ネジとを備えるようにした。
したがって、前記スライド用駒をラックの各段の棚板から脱落させることなく、各段の棚板の適所に取り付けることができ、しかも前部ネジを操作するだけで簡単に所定位置に固定することができるる。
請求項３に係るラック等の商品の落下防止機構は、前記スライド用駒が、前記前部ネジの頭部が係合ピンを兼用しているので、非常に構造が簡単で部品点数を減らすことができ、コスト低減を図ることができる。
請求項４に係るラック等の商品の落下防止機構は、前記ゴム紐が、伸縮自在のゴム素材の外側を、ゴム素材の伸縮に応じて伸縮可能な布等からなるカバーで保護した構造となっているので、ゴム紐が長期間の使用に耐えるものとなり、また見栄えのよいものとすることができる。
もちろん、前記ゴム紐は安く購入することができるので、ゴム紐が損傷した場合には簡単に取り替えることができる。
請求項５に係るラック等の商品の落下防止機構は、前記各段の棚板が、少なくともその上面前部に滑り止めシートが貼付されているので、上記各請求項における商品の落下防止の性能をより高めることができる。
【図面の簡単な説明】
【０００８】
【図１】この考案のラック等の商品の落下防止機構の実施の形態を示すスライド用駒の平面図である。
【図２】その側面図である。
【図３】前記スライド用駒の棚板への取付状態を示す固定前の概略断面図である。
【図４】固定後の概略断面図である。
【図５】この考案のラック等の商品の落下防止機構をラックの格段の棚板にセットした状態を示す正面図である。
【考案を実施するための形態】
【０００９】
以下この考案のラック等の商品の落下防止機構の１実施例を図面に基いて詳細に説明する。
図１ないし図４において、１１はこの考案のラック等の商品の落下防止機構に使用されるスライド用駒である。
このスライド用駒１１は、ほぼＵ字状の所定間隔で前後一対の側壁２２，２３を設けたほぼＵ字状の駒本体２１と、後部側壁２３の外側に取り付けられ。駒本体２１の内側に向けて先端を進退自在とした、蝶ネジ等からなる後部ネジ２５と、前部側壁２２の外側に取り付けられ、駒本体２１の内側に向けて先端を進退自在とした前部ネジ２４とを備え、かつ前部側壁２２には係合ピン２６（＝２４）が突設されている。
上記実施例では、前記スライド用駒１１において、前記前部ネジ２４の頭部が係合ピン２６（＝２４）を兼用しているが、それぞれ別体としてもよいことはもちろんである。２７は係合ピン２６の頭部に設けたつまみである。
【００１０】
次に、図4に示すように、前記係合ピン２６にはそれぞれゴム紐１２が掛け回される。
前記ゴム紐１２は、伸縮自在のゴム素材３１の外側を、ゴム素材３１の伸縮に応じて伸縮可能とした布等からなるカバー３２で保護した構造となっている。したがってゴム紐１２は長期間の使用に耐えるものとなり、また好ましいデザインの布等からなるカバー３２によって見栄えのよいものとすることができる。
【００１１】
この考案のラック等の商品の落下防止機構の使用に際しては、図３に示すように、先ずラック１３の各段の棚板４１の前面のＬ字状部分に、前記スライド用駒１１のＵ字状の駒本体２１を下側からはめ込み、後部ネジ２５を所定長さまでねじ込んでおく。
次いで、図４に示すように、前記前部ネジ２４をねじ込んで、該スライド用駒１１を各段の棚板４１の前面にそれぞれ適宜間隔で取り付ける。
【００１２】
図５は、ラック１３の各段の棚板４１の前面に前記スライド用駒１１を適宜間隔で取り付けた状態を示すものである。
図示したように、前記スライド用駒１１の前面には係合ピン２６が突設されているので、前記スライド用駒１１の前面に取り付けた各段の係合ピン２６の間に、所定の長さのゴム紐１２を掛け回して取り付ければセットは完了する。
この状態で地震等に襲われても、前記ラック１３に収納した商品１４は、サイズの異なる種々の商品１４に各係合ピン２６に斜めや縦横に掛け回したゴム紐１２が係合するので、商品１４の落下防止の機能は極めて高いものである。
【００１３】
なお、ゴム紐１２のセットを解除するには、適宜の係合ピン２６に取り付けた一方のループ状の端部１２ａを取り外すだけでよく、他方の端部１２ｂはそのままでよい。
この状態で、前記ラック１３に収納した商品１４を簡単に出し入れすることができる。商品１４の出し入れが終われば、再度前記ゴム紐１２を各係合ピン２６間に斜めや縦横に掛け回せばよいのである。
なお、前記スライド用駒１１は前記ラック１３の棚板４１のみならず、縦フレームの適宜位置にも装着することができ、したがって、上下の棚板４１間のみならず、左右の縦フレームにもゴム紐１２を掛け回すことにより、より確実に商品１４の落下防止を図ることができる。
【００１４】
なお、図１ないし図４に示すように、前記各段の棚板４１には、少なくともその上面前部に滑り止めシート４２が貼付してある。こうすることによって、上記係合ピン２６に掛け回したゴム紐１２による商品の落下防止の性能をより高めることができる。
【産業上の利用可能性】
【００１５】
上記においては、倉庫や展示場、事業所等において使用されるラックについて説明してきたが、この考案の趣旨を損なわない限りにおいて、図書館等における書棚や、その他適宜用途に使用することができることはいうまでもないことである。
【符号の説明】
【００１６】
１１  スライド用駒
１２  ゴム紐
１２ａ，１２ｂ  ループ状の端部
１３  ラック
１４  商品
２１  駒本体
２２  前部側壁
２３  後部側壁
２４  前部ネジ
２５  後部ネジ
２６  係合ピン
２７  つまみ
３１  ゴム素材
３２  カバー
４１  棚板
４２  滑り止めシート
【図１】
0003169909.tif 000003
【図２】
0003169909.tif 000004
【図３】
0003169909.tif 000005
【図４】
0003169909.tif 000006
【図５】
0003169909.tif 000007